【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
装飾性要素及び／又は、機能性要素、及び少なくとも１つの可燃性芯を有するキャンドルにおいて、
硬化可燃体（２）からなる少なくとも１つのセグメント（６）を有し、該セグメント（６）は、幾何学形状を有する、少なくとも２つの層及び、該幾何学形状内で伸延する少なくとも１つの可燃芯（１、１９）から構成され、
前記芯（１、１９）は、前記キャンドル（５）が燃え落ちる間に、炎が１つの芯（１、１９）から、同一のセグメント（６）内の次の芯、又は、次のセグメント（６）内の次の芯に飛び移ることができる距離で、個々の独立したキャンドルセグメント（６）内及び間に、互いに配置されており、前記芯（１、１９）は、別の硬化可燃層により薄く被覆されていると共に、所望の形状で固定されていることを特徴とする、キャンドル。
【請求項２】
少なくとも１つのセグメント（６）は湾曲し、及び／又は、前記芯（１、１９）は少なくとも一回分岐しており、分岐している場合には、線状の芯部（１）が要素と共に、別のセグメント（６）と連結するために、各端部に配置されていることを特徴とする、請求項１記載のキャンドル。
【請求項３】
各上部キャンドルセグメント（６）においては、芯（１、１９）は、前記可燃体（２）から突出し、
中央キャンドルセグメント（６）においては、前記芯（１、１９）は、前記可燃体（２）から突出せず、かつ、前記芯は、リード（７）により、下端部で固定されており、
各下部キャンドルセグメント（６）においては、前記芯（１、１９）は、リード（７）によりその下端部に支持されていることを特徴とする、請求項１又は２記載のキャンドル。
【請求項４】
芯（１、１９）を被覆している可燃体（２）は、キャンドル（５）の前記可燃体とは異なるものであることを特徴とする、請求項３記載のキャンドル。
【請求項５】
前記芯（１、１９）は、金属（１０）又は、接着剤からなるリード線から構成されており、
異なるセグメント（６）の芯（１、１９）同士は、離れていることを特徴とする、前記記載の請求項の内、いずれか１項に記載のキャンドル。
【請求項６】
前記可燃体（２）及び／又は、前記芯（１、１９）内の顔料は、特に燃焼時間に関して、燃焼作用に影響を及ぼすことを特徴とする、前記記載の請求項の内、いずれか１項に記載のキャンドル。
【請求項７】
前記芯（１、１９）は、多孔性の可燃材から構成されており、
前記芯を構成している多孔性の可燃材は、石膏を特定の含有量有し、
前記芯（１、１９）の多孔性の可燃材は、キャンドル（５）の燃焼作用を制御するために設けられていることを特徴とする、前記記載の請求項の内、いずれか１項に記載のキャンドル。
【請求項８】
空洞（１３）を有することを特徴とする、前記記載の請求項の内、いずれか１項に記載のキャンドル。
【請求項９】
前記空洞（１３）は、それぞれ異なる色を有する可燃体（２）及び／又は、フレグラントオイル、及び／又は、液体及び／又は、物体で充填されており、及び／又は、前記空洞（１３）は、幾何学形状、数字形状、文字形状又は、これらの組み合わせ形状を有していることを特徴とする、請求項８記載のキャンドル。
【請求項１０】
１以上の炎を灯すことが可能な、装飾性要素及び／又は機能性要素を有するキャンドル製造用セグメントであって、幾何学形状を有する少なくとも２つの層が組み合わされた、硬化可燃体（２）及び該幾何学形状内で伸延する芯（１９）から構成され、
前記可燃芯（１、１９）は、別の硬化可燃層により薄く被覆されていると共に、所望の形状で固定されていることを特徴とする、キャンドル製造用セグメント。
【請求項１１】
前記芯（１、１９）は湾曲し、及び／又は少なくとも一回（８ａ、８ｂ、８ｃ）分岐し、かつ、分岐する際は、線状芯部が要素（７）と共に、もう一方のセグメント（６）と連結するためにそれぞれの端部に配置されていることを特徴とする、請求項１０記載のセグメント。
【請求項１２】
幾何学形状を有する少なくとも２つの層が組み合わされた硬化可燃体（２）を有し、該硬化可燃体（２）内部には、異なる色の可燃体（２）及び／又はフレグラントオイルで充填された少なくとも１つの空洞（１３）が存在し、かつ、別のセグメント（６）と連結するために、各端部に配置された要素（７）と共に、この幾何学形状内部に伸延する芯（１、１９）を有する、装飾性要素及び／又は、機能性要素を有するキャンドル製造用セグメント。
【請求項１３】
前記連結するための要素は、溝、及びキー連結、プラグ連結、及び又は、クランプ連結であり、
芯（１、１９）の継目には、塞ぐことの出来るワイヤスリーブが配置されていることを特徴とする、請求項１０乃至１２記載のうち、いずれか１項に記載のセグメント。
【請求項１４】
充填後の空洞（１３）は、幾何学形状、数字形状、文字形状、又は、これらの組み合わせ形状を有することを特徴とする、請求項１０乃至１３記載のうち、いずれか１項に記載のセグメント。
【請求項１５】
装飾性要素及び／又は機能性要素（１６、１７）は、前記キャンドル（５）の燃焼時間に応じて、可視できるようになることを特徴とする、請求項１０乃至１４記載のうち、いずれか１項に記載のセグメント。
【請求項１６】
独立したキャンドル（５）として、燃焼可能であることを特徴とする、請求項１０乃至１５載のうち、いずれか１項に記載のセグメント。
【請求項１７】
請求項１０乃至１５記載のうちの、少なくとも１項に記載のセグメントに基づいて、少なくとも２つの同一の又は組み合わせによるセグメントから構成される、装飾性要素及び／又は機能性要素を有するキャンドル。
【請求項１８】
製造工程中に、複数の適宜な層を組み合わせることにより、装飾性要素及び／又は機能性要素（１６、１７）をそれぞれ挿入設置し、適宜な材料及び／又はそれぞれの型を選択することにより、全ての層が要求された前記要素（１６、１７）に関して独立する形で配置された装飾性要素及び／又は機能性要素を有するキャンドルの製造方法であって、該方法は、まず最初に、製造するキャンドルのポジティブ形状を、固体材料から形成し、このポジティブ形状を、水平位置において適宜な材料で完全に充填された型に挿入し、続いて、該ポジティブ形状を必要な数の層に分離して、必要な層のネガティブ形状を取得し、続いて該ネガティブ形状を使用して、キャンドルの層を製造し、キャンドル（５）の層を連結する前に、キャンドル（５）の層間に、線状に伸延する芯（１、１９）、湾曲する形で伸延する芯（１、１９）、又は少なくとも１回分岐する芯（１、１９）のうち、少なくとも１つを挿入し、前記可燃芯（１、１９）は、前記キャンドルに挿入される前に別の硬化可燃層により薄く被覆されていると共に、所望の形状で固定されていることを特徴とする、装飾性要素及び／又は機能性要素を有するキャンドルの製造方法。
【請求項１９】
前記キャンドルを、凹部又は空洞（１３）を有する複数の層により形成し、
及び／又は、異なる複数の層を積み重ねることにより、凹部を共に連結して閉鎖した空洞とし、
及び／又は、前記キャンドルの層を連結した後、幾何学形状、数字、文字、又はその組み合わせを、既存の空洞により形成し、
及び／又は、前記キャンドル（５）を完全に組み立てる前、又は後に、層内の凹んだ空洞（１３）を、それぞれ異なる色を有する可燃材又は、芳香物で充填させることを特徴とする、請求項１８記載の方法。
【請求項２０】
第１の鋳造ステップで、型の第１部分に可燃体を充填し、
その上に、分岐心を配置し、
前記型の第２部分を配置させ、対応する開口部を介して、残る空洞を可燃体で充填することにより、キャンドルを組み立てることを特徴とする、型鋳造を用いたキャンドルの製造方法。
【請求項２１】
製造するキャンドルの固体ポジティブ型を、型の中に置くことにより製造される、必要な層のネガティブ型を有し、該固体ポジティブ型を、適宜な材料で完全に充填した後、前記ネガティブ型を、必要な数の層に分離したことを特徴とする、装飾性要素及び／又は、機能性要素を有するキャンドル及び、キャンドル組立用セグメントの製造装置。
【請求項２２】
製造する層のネガティブ型の材料は、シリコンであることを特徴とする、請求項２１記載の装置。
【請求項２３】
キャンドル製品、又はその他のワックス形状を製造する為の、半仕上げ製品としてのワックススラブの使用。